(57)【要約】    【課題】  通行規制用テープは、立入禁止ないし侵入禁止の区域を仕切る現場で、所要の長さに切断道具を用いずに人の手で切断可能にする。    【解決手段】  立入禁止ないし侵入禁止の区域を仕切る通行規制用テープにおいて、テープ１は、素材を合成樹脂にし、テープ１の縁から反対側の縁方向に向かう切り目６を形成し、テープ１の長さ方向に間隔を置いて切り目６を配列した。テープ１は、所要の長さになる位置の切り目６又はその位置に近い位置の切り目６の両側部分を両手の指で摘んで切り目６から切断する構成にした。【選択図】  図１
0003132163.tif 000002
【実用新案登録請求の範囲】
【請求項１】
立入禁止ないし侵入禁止の区域を仕切る通行規制用テープにおいて、
テープは、素材を合成樹脂にし、
テープの縁から反対側の縁方向に向かう切り目を形成し、テープの長さ方向に間隔を置いて切り目を配列し、
テープは、切り目の両側部分を両手の指で摘んで切り目から切断する構成にしたことを特徴とする通行規制用テープ。
【請求項２】
切り目は、テープの両側にそれぞれ設けたことを特徴とする請求項１に記載の通行規制用テープ。
【請求項３】
テープ素材の合成樹脂は、ポリオレフィンにしたことを特徴とする請求項１又は２に記載の通行規制用テープ。
【請求項４】
テープは、幅を５０〜１００ｍｍ位に、厚さを０．０５〜０．２ｍｍ位にし、
切り目は、長さを０．５〜５ｍｍ位にしたことを特徴とする請求項１、２又は３に記載の通行規制用テープ。
【請求項５】
切り目は、配列間隔を１〜１０ｍｍ位にしたことを特徴とする請求項１、２、３又は４に記載の通行規制用テープ。
【考案の詳細な説明】
【技術分野】
【０００１】
本考案は、事件現場、危険個所や非公開場所のような立入禁止ないし侵入禁止の区域を仕切る通行規制用テープに関する。
【背景技術】
【０００２】
警察署や県警のような警察機関が事件現場で使用する立入禁止テープについて、説明する。殺人のような事件が発生すると、事件現場を保存するため、事件現場に関係者以外の人や車が立ち入るのを禁止する。事件現場に通ずる通路には、立入禁止テープを張って、立入禁止区域を仕切り、人や車の通行を規制する。
【０００３】
立入禁止テープは、長いテープであり、数十ｍの長さ分を巻き芯に巻いた状態で警察機関に保管している。事件が発生すると、警察機関は、巻き芯に巻いた立入禁止テープを現場に持参し、現場に通ずる通路に立入禁止テープを張り、所要の長さに切断する。現場に通ずる通路の幅、立入禁止テープを張る長さは、現場毎に異なり、立入禁止テープの所要の長さは、まちまちである。
【０００４】
なお、ロープと表示シートからなるテープが特許文献１に、布地のテープが特許文献２に開示されている。
【０００５】
【特許文献１】登録実用新案第３０２８７２９号公報
【特許文献２】登録実用新案第３０６２３４９号公報
【考案の開示】
【考案が解決しようとする課題】
【０００６】
［背景技術の課題］
立入禁止テープのような通行規制用テープは、人がいじったり車が少し押したりした程度で破断するのを防ぐため、引っ張りや捩りに対する機械的強度が要求される。また、屋外で使用されることが多いので、太陽光、雨や風に対する耐候性強度が要求される。その結果、通行規制用テープは、強度が高く、現場で人が手で切断することが非常に困難である。そこで、通行規制用テープは、鋏や小刀のような切断道具と一緒に現場に持参し、切断道具を用いて切断する。通行規制用テープと一緒に切断道具を持ち運ぶ手間が掛かる。
【０００７】
［課題を解決するための着想］
通行規制用テープは、素材ないし材料を合成樹脂にし、合成樹脂テープの縁から反対側の縁方向に向かう切り目を形成することにした。このテープは、切り目の両側部分を人の両手の指で摘んで切り目から切断する。現場で切断道具を用いずに切断することができる。切断道具を持ち運ぶ手間が掛からない。
【０００８】
また、通行規制用テープは、長さ方向に間隔を置いて切り目を配列することにした。このテープは、所要の長さになる位置の切り目又はその位置に近い位置の切り目から人の手で切断する。現場で所要の長さに切断道具を用いずに切断することができる。
【０００９】
更に、通行規制用テープは、合成樹脂テープの材質と断面寸法及び切り目の長さを選択して、要求強度を満たすことにした。
【００１０】
このような通行規制用テープは、要求強度を満たし、かつ、現場で所要の長さに人の手で切断することができる。切断道具を持ち運ぶ手間を省くことができる。
【課題を解決するための手段】
【００１１】
１）立入禁止ないし侵入禁止の区域を仕切る通行規制用テープにおいて、
テープは、素材を合成樹脂にし、
テープの縁から反対側の縁方向に向かう切り目を形成し、テープの長さ方向に間隔を置いて切り目を配列し、
テープは、切り目の両側部分を両手の指で摘んで切り目から切断する構成にしたことを特徴とする。
２）上記の通行規制用テープにおいて、
切り目は、テープの両側にそれぞれ設けたことを特徴とする。
３）上記の通行規制用テープにおいて、
テープ素材の合成樹脂は、ポリエチレンやポリプロピレンのようなポリオレフィンにしたことを特徴とする。
４）上記の通行規制用テープにおいて、
テープは、幅を５０〜１００ｍｍ位に、厚さを０．０５〜０．２ｍｍ位にし、
切り目は、長さを０．５〜５ｍｍ位にしたことを特徴とする。
５）上記の通行規制用テープにおいて、
切り目は、配列間隔を１〜１０ｍｍ位にしたことを特徴とする。
【考案の効果】
【００１２】
通行規制用テープは、立入禁止ないし侵入禁止の区域を仕切る現場で、所要の長さに人の手で切断することができる。切断道具を持ち運ぶ手間を省くことができる。
【考案を実施するための最良の形態】
【００１３】
［第１例（図１〜図５参照）］
本例の通行規制用テープは、県警や警察署のような警察機関が事件現場で使用する立入禁止テープである。
【００１４】
このテープ１は、図１に示すように、長いテープであり、巻き芯２に巻き付けている。テープ１の表裏両面には、それぞれ、「立入禁止」「ＫＥＥＰ  ＯＵＴ」や「○○県警」「○○警察署」のような標識３を付けている。標識３は、テープ１の長さ方向に一定の間隔に配列している。
【００１５】
テープ１は、素材を合成樹脂シートにしている。素材の合成樹脂は、ポリエチレンやポリプロピレンのようなポリオレフィンにしている。実施例では、ポリエチレンにしている。テープ１の寸法は、幅を５０〜１００ｍｍ位に、厚さを０．０５〜０．２ｍｍ位にしている。長さは、数十ｍにしている。実施例では、幅を６０ｍｍに、厚さを０．０９ｍｍにしている。長さを５０ｍにしている。
【００１６】
そして、テープ１は、図１〜図３に示すように、上下両側の縁部に、それぞれ、縁から反対側の縁方向に向かう切り目６をテープ１の幅方向に沿って形成している。切り目６は、上下両側の縁部において、それぞれ、テープ１の長さ方向に一定の間隔に配列している。この切り目６は、長さを０．５〜５ｍｍ位にし、配列間隔を１〜１０ｍｍ位にしている。実施例では、長さを１ｍｍに、配列間隔を２ｍｍにしている。
【００１７】
このテープ１は、所要の長さに切断するときには、所要の長さになる位置の切り目６又はその位置に近い位置の切り目６の左右両側部分を人の両手の指で摘み、左右の両手を前後にずらして、両手の間の切り目６から引き裂く。鋏や小刀のような切断道具を必要としない。
【００１８】
本例のテープ１の製造法に言及する。素材の広幅の合成樹脂シートＳは、スリッタに通して、複数の細長いテープ１に切断する。そのスリッタ通過時に、合成樹脂シートＳに切り目６を刻み込む。
【００１９】
スリッタは、図４と図５に示すように、上側ローラ１１と前側ローラ１２を並列して設けている。合成樹脂シートＳは、上側ローラ１１と前側ローラ１２を順次通過する。両ローラ１１、１２の中間位置には、広幅シートＳを複数の幅狭シート、テープ１に切断する刃物１３を設けている。刃物１３は、広幅シートＳの切断位置の上側に配置し、ローラ１１、１２の軸心方向にテープ１の幅と同一の間隔に配列している。上側ローラ１１の上側位置には、切り目形成用の切断工具として、平歯車の各歯を刃にしたような形状の刃物車１４を設けている。刃物車１４は、その軸心をローラ１１、１２の軸心と並列し、各刃をローラ１１、１２の軸心と並列している。この刃物車１４は、広幅シートＳにおけるテープ１の縁になる位置の上側に配置し、ローラ１１、１２の軸心方向にテープ１の幅と同一の間隔に配列している。
【００２０】
広幅の合成樹脂シートＳは、上側ローラ１１と刃物車１４の間を通過し、その通過時に回転中の刃物車１４が押し付けられ、切り目６が一定の間隔に刻み込まれる。その後、合成樹脂シートＳは、刃物１３の下側と前側ローラ１２の前側を通過し、刃物位置通過時に刃物１３が押し付けられ、複数のテープ１に切断される。
【００２１】
［第２例（図６参照）］
本例の通行規制用テープは、第１例におけるのと同様に、警察機関が使用する標識３付きの立入禁止テープ１であるが、素材を、第１例における合成樹脂シートＳに代えて、合成樹脂チューブにしている。合成樹脂チューブは、図６に示すように、扁平に畳んでテープ１にしている。テープ１は、２枚の合成樹脂シートを重ね合わせた構造になっている。素材の合成樹脂は、ポリエチレンやポリプロピレンのようなポリオレフィンにしている。実施例では、ポリエチレンにしている。
【００２２】
テープ１は、第１例におけるのと同様に、上下両側の縁部に、それぞれ、縁から反対側の縁方向に向かう切り目６をテープ１の幅方向に沿って形成している。切り目６は、上下両側の縁部において、それぞれ、テープ１の長さ方向に一定の間隔に配列している。このテープ１は、所要の長さに切断するときには、所要の長さになる位置の切り目６又はその位置に近い位置の切り目６の左右両側部分を両手の指で摘み、左右の両手を前後にずらして、両手の間の切り目６から引き裂く。鋏や小刀のような切断道具を必要としない。
【００２３】
テープ１の寸法は、幅を５０〜１００ｍｍ位に、厚さを０．０５〜０．２ｍｍ位にしている。切り目６は、長さを０．５〜５ｍｍ位にし、配列間隔を１〜１０ｍｍ位にしている。
【００２４】
なお、合成樹脂チューブを扁平に畳んだテープ１に切り目６を形成するには、そのテープ１は、第１例におけるスリッタに通し、刃物１３を使用せず、刃物車１４を使用して、両側の縁部に、それぞれ、切り目６を一定の間隔に刻み込む。
【００２５】
［変形例］
１）実施形態の第１例において、テープ１の素材は、単層のポリエチレンシートであるが、種類の異なる合成樹脂フイルム、例えばポリエチレンフイルムとポリプロピレンフイルム、を重ね合わせた複合の合成樹脂シートにする。
２）実施形態の第２例において、テープ１の素材は、単層のポリエチレンチューブであるが、種類の異なる合成樹脂フイルム、例えばポリエチレンフイルムとポリプロピレンフイルム、を重ね合わせた複合の合成樹脂チューブにする。
３）実施形態の第１例と第２例において、切り目６は、テープ１の上下両側に設けているが、テープ１の片側のみに設ける。
４）実施形態の第１例と第２例において、切り目６は、直線状であるが、Ｖ字形状又はその他の形状にする。
５）実施形態の第１例と第２例において、通行規制用テープ１は、警察機関が事件現場で使用する立入禁止テープであるが、屋外又は屋内の危険個所や非公開場所のような立入禁止ないし侵入禁止の区域を仕切るテープにする。
【図面の簡単な説明】
【００２６】
【図１】本考案の実施形態の第１例における通行規制用テープの巻き芯に巻いた状態の斜視図。
【図２】同通行規制用テープの部分拡大正面図。
【図３】図２のＡ−Ａ線断面中間省略拡大図。
【図４】同通行規制用テープを製造するスリッタの概略側面図。
【図５】同スリッタの概略平面図。
【図６】実施形態の第２例における通行規制用テープの断面を示す中間省略図で、図３と同様な図。
【符号の説明】
【００２７】
１  通行規制用テープ、立入禁止テープ、テープ
２  巻き芯
３  立入禁止などの標識
６  切り目
Ｓ  広幅の合成樹脂シート、合成樹脂シート、広幅シート
１１  上側ローラ
１２  前側ローラ
１３  スリッタの刃物
１４  刃物車、切り目形成用の切断工具
【図１】
0003132163.tif 000003
【図２】
0003132163.tif 000004
【図３】
0003132163.tif 000005
【図４】
0003132163.tif 000006
【図５】
0003132163.tif 000007
【図６】
0003132163.tif 000008